(57)【要約】      （修正有）【課題】低コストで簡易な構成の黒板消去装置及び自動消去機能を備える黒板を提供する。【解決手段】矩形の黒板の一側端に略平行に延伸する円筒状のワイパ部材と、ワイパ部材を円筒軸回りに回転駆動する手段と、レール部材１１０、１２０に係合可能なスライダ部材１４２，１４４とを有するワイパユニット１４０と、黒板の一側端と略垂直方向に延伸し、スライダ部材１４２，１４４を滑動自在に収容可能なレール部材１１０，１２０とを有する黒板消去装置において、前記円筒状のワイパ部材は、その円筒面から放射方向に延伸し、かつ、円筒軸に略平衡方向に延伸する複数列の突起部を有しており、前記ワイパ部材を回転駆動しながら、前記レール部材１４２，１４４上で前記スライダ部材１４２，１４４を活動させて前記ワイパユニット１４０を前記黒板の一側端と略垂直方向に移動させることにより、黒板表面の付着物を拭き取ることを特徴とする黒板消去装置。【選択図】図１
2009202343.tif 000002
【特許請求の範囲】
【請求項１】
矩形の黒板上に設置されて当該黒板表面を消去する黒板消去装置であって、
前記黒板の一側端に略平行に延伸する円筒状のワイパ部材と、当該ワイパ部材を円筒軸回りに回転駆動する回転駆動手段と、レール部材に係合可能な１又は２以上のスライダ部材とを有するワイパユニットと、
前記黒板の一側端と略垂直方向に延伸し、前記スライダ部材各々を滑動自在に収容可能な１又は２以上のレール部材とを有する黒板消去装置において、
前記円筒状のワイパ部材は、その円筒面から放射方向に延伸し、かつ、円筒軸に略平衡方向に延伸する複数列の突起部を有しており、前記ワイパ部材を回転駆動しながら、前記レール部材上で前記スライダ部材を活動させて前記ワイパユニットを前記黒板の一側端と略垂直方向に移動させることにより、前記各突起部が前記黒板表面の付着物を拭き取ることを特徴とする黒板消去装置。
【請求項２】
前記ワイパ部材の各突起部は、その延伸方向の複数位置において切り欠き部が形成されていることを特徴とする請求項１に記載の黒板消去装置。
【請求項３】
前記ワイパ部材の各突起部における切り欠き部は、その形成位置が少なくとも全突起部において一致しないよう形成されていることを特徴とする請求項２に記載の黒板消去装置。
【請求項４】
前記ワイパユニットは、前記ワイパ部材の各突起部の先端に接触するブラシ部材を有していることを特徴とする請求項１から３のいずれか１項に記載の黒板消去装置。
【請求項５】
矩形の黒板であって、
前記黒板の一側端に略平行に延伸する円筒状のワイパ部材と、当該ワイパ部材を円筒軸回りに回転駆動する回転駆動手段と、レール部材に係合可能な１又は２以上のスライダ部材とを有するワイパユニットと、
前記黒板の一側端と略垂直方向に延伸し、前記スライダ部材各々を滑動自在に収容可能な１又は２以上のレール部材とを備える黒板であって、
前記円筒状のワイパ部材は、その円筒面から放射方向に延伸し、かつ、円筒軸に略平衡方向に延伸する複数列の突起部を有しており、前記ワイパ部材を回転駆動しながら、前記レール部材上で前記スライダ部材を活動させて前記ワイパユニットを前記黒板の一側端と略垂直方向に移動させることにより、前記各突起部が前記黒板表面の付着物を拭き取ることにより自動消去されることを特徴とする黒板。
【請求項６】
前記ワイパ部材の各突起部は、その延伸方向の複数位置において切り欠き部が形成されていることを特徴とする請求項５に記載の黒板。
【請求項７】
前記ワイパ部材の各突起部における切り欠き部は、その形成位置が少なくとも全突起部において一致しないよう形成されていることを特徴とする請求項６に記載の黒板。
【請求項８】
前記ワイパユニットは、前記ワイパ部材の各突起部の先端に接触するブラシ部材を有していることを特徴とする請求項５から７のいずれか１項に記載の黒板。
【発明の詳細な説明】
【技術分野】
【０００１】
本発明は、黒板消去装置及び自動消去機能を備える黒板に関し、特に、乾式で消去を行うことができる黒板消去装置及び自動消去機能を備える黒板に関するものである。
【背景技術】
【０００２】
従来、チョーク等による黒板上の書き込みを消去するには、布製の黒板消しを用いて黒板上に付着したチョーク粉を拭い取るのが一般的であった。使用後の黒板消しは、はたいたりクリーナにかけるなどして、チョーク粉を除去している。
【０００３】
しかしながら、人手により黒板消しを用いて大型の黒板を消去するのは多大な労力を要し、チョーク粉飛散などの問題もあるため、黒板消去を自動的に行う装置が導入されている。
特許文献１には、黒板の側端に沿って設置される自動消去装置であって、ブラシ、スポンジ等で構成される回転可能な消去部材と当該消去部材に洗浄液を供給する手段とによって黒板を消去する装置が記載されている（請求項１，図１０，１３等）。
【特許文献１】特開平１１−１２３１１９号公報
【発明の開示】
【発明が解決しようとする課題】
【０００４】
特許文献１に記載の黒板自動消去装置は、洗浄液を用いた湿式の消去を行うものであり、洗浄液を貯蔵するタンク（貯留槽２０１）と、洗浄液を黒板上部まで汲み上げるためのポンプ（洗浄液ポンプ２０３）を必要とする。このため装置は大掛かりなものとならざるを得ず、相当な製造コスト、ランニングコスト、保守コストがかかってしまう。
また、湿式で黒板消去を行う場合には、消去作業後に黒板が早く乾く必要があるが、このために、加温した洗浄液を用いたり、乾燥風を吹き付けたりするとすれば、熱源を備える必要があり、装置全体がさらに大型化し、コストも増大する。
【０００５】
本発明は、このような実情に鑑みてなされたものであり、低コストで簡易な構成の黒板消去装置及び自動消去機能を備える黒板を提供しようとするものである。
【課題を解決するための手段】
【０００６】
上記解決課題に鑑みて鋭意研究の結果、本発明者は、黒板の側端と略平行方向に延伸するワイパ部材を用いて黒板を乾式で消去する黒板消去装置及び当該手段によって黒板を自動消去する機能を備えた黒板を発明するに至った。
【０００７】
すなわち、本発明は、矩形の黒板上に設置されて当該黒板表面を消去する黒板消去装置であって、
前記黒板の一側端に略平行に延伸する円筒状のワイパ部材と、当該ワイパ部材を円筒軸回りに回転駆動する回転駆動手段と、レール部材に係合可能な１又は２以上のスライダ部材とを有するワイパユニットと、
前記黒板の一側端と略垂直方向に延伸し、前記スライダ部材各々を滑動自在に収容可能な１又は２以上のレール部材とを有する黒板消去装置において、
前記円筒状のワイパ部材は、その円筒面から放射方向に延伸し、かつ、円筒軸に略平衡方向に延伸する複数列の突起部を有しており、前記ワイパ部材を回転駆動しながら、前記レール部材上で前記スライダ部材を活動させて前記ワイパユニットを前記黒板の一側端と略垂直方向に移動させることにより、前記各突起部が前記黒板表面の付着物（チョーク粉等）を拭き取ることを特徴とする黒板消去装置を提供するものである。
【０００８】
本発明の黒板消去装置において、前記ワイパ部材の各突起部は、その延伸方向の複数位置において切り欠き部が形成されていることを特徴とする。
これにより、前記黒板表面から拭い取った付着物が前記各突起部との間に滞留することがなくなり、消去効果が向上する。
【０００９】
さらには、前記ワイパ部材の各突起部における切り欠き部は、その形成位置が少なくとも全突起部において一致しないよう形成されているのが好ましい。
これにより、前記黒板表面をムラなく均一に消去することができるからである。
【００１０】
本発明の黒板消去装置において、前記ワイパユニットは、前記ワイパ部材の各突起部の先端に接触するブラシ部材を有していることを特徴とする。
これにより、前記ワイパ部材の各突起部先端に付着した前記黒板表面から拭い取った付着物がブラシ部材により払い落とされて、各突起部先端が清浄な状態に戻るので、消去効果を維持することができる。
【００１１】
本発明は、また、矩形の黒板であって、
前記黒板の一側端に略平行に延伸する円筒状のワイパ部材と、当該ワイパ部材を円筒軸回りに回転駆動する回転駆動手段と、レール部材に係合可能な１又は２以上のスライダ部材とを有するワイパユニットと、
前記黒板の一側端と略垂直方向に延伸し、前記スライダ部材各々を滑動自在に収容可能な１又は２以上のレール部材とを備える黒板であって、
前記円筒状のワイパ部材は、その円筒面から放射方向に延伸し、かつ、円筒軸に略平衡方向に延伸する複数列の突起部を有しており、前記ワイパ部材を回転駆動しながら、前記レール部材上で前記スライダ部材を活動させて前記ワイパユニットを前記黒板の一側端と略垂直方向に移動させることにより、前記各突起部が前記黒板表面の付着物（チョーク粉等）を拭き取ることにより自動消去されることを特徴とする黒板を提供するものである。
【００１２】
本発明の黒板において、前記ワイパ部材の各突起部は、その延伸方向の複数位置において切り欠き部が形成されていることを特徴とする。
これにより、前記黒板表面から拭い取った付着物が前記各突起部との間に滞留することがなくなり、消去効果が向上する。
【００１３】
さらには、前記ワイパ部材の各突起部における切り欠き部は、その形成位置が少なくとも全突起部において一致しないよう形成されているのが好ましい。
これにより、前記黒板表面をムラなく均一に消去することができるからである。
【００１４】
本発明の黒板において、前記ワイパユニットは、前記ワイパ部材の各突起部の先端に接触するブラシ部材を有していることを特徴とする。
これにより、前記ワイパ部材の各突起部先端に付着した前記黒板表面から拭い取った付着物がブラシ部材により払い落とされて、各突起部先端が清浄な状態に戻るので、消去効果を維持することができる。
【発明の効果】
【００１５】
以上、説明したように、本発明によれば、黒板の側端と略平行方向に延伸するワイパ部材を用いて黒板を乾式で拭い取って消去することができるので、低コストで簡易な構成の黒板消去装置及び自動消去機能を備える黒板が実現される。
また、ワイパ部材の各突起部のそれぞれ異なる位置に複数の切り欠き部を形成することや、突起部の先端をクリーニングするブラシ部材を備えることにより、消去作業の効果を維持することが可能となっている。
【発明を実施するための最良の形態】
【００１６】
以下、添付図面を参照しながら、本発明の黒板消去装置及び自動消去機能を備える黒板を実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００１７】
[１] 黒板消去装置の構成
図１は、本発明の一実施形態に係る黒板消去装置の全体構成を概略的に示す図である。
図１に示す黒板消去装置は、図中水平方向に延伸するレール部材１１０及び１２０と、垂直方向に延伸する固定部材１３０と、垂直方向に延伸するワイパユニット１４０とから構成されている。
レール部材１１０及び１２０は水平方向に溝を有しており、この溝にスライダ部材が係合することにより、当該スライダ部材が水平方向に滑動自在に保持される。固定部材１３０はその両端付近においてレール部材１１０及び１２０の端部付近と固定されており、レール部材１１０及び１２０を固定支持する役割を果たす。ワイパユニット１４０は両端部にスライダ部材１４２及び１４４を有しており、スライダ部材１４２及び１４４がそれぞれレール部材１１０及び１２０の溝に係合することにより、水平方向に滑動自在な状態で本装置に保持されている。
【００１８】
図１において、ワイパユニット１４０の下部は、上部よりも紙面手前側に位置するように構成されている。
図示しないが、ワイパユニット１４０は、スライダ部材１４２及び１４４がレール部材１１０及び１２０上を水平方向に移動できるよう駆動する手段を有している。あるいは、レール部材１１０及び１２０が当該駆動手段を備えていてもよい。
【００１９】
図２は、図１に示す黒板消去装置の裏側を示した図である。
図２において、ワイパユニット１４０は大きく開口しており、その開口の内側において、ワイパ部材１５０と、回転駆動部１５２及び１５４と、粉落としブラシ１５６とを有している。また、上記したように、ワイパユニット１４０の下部は、上部よりも紙面奥側に位置するように構成されているが、上記のワイパ部材１５０、回転駆動部１５２及び１５４、粉落としブラシ１５６は全て、ワイパユニット１４０の上側の内部に配置されている。
【００２０】
ワイパ部材１５０は、垂直方向に延伸する複数の突起部を有しており、この突起部は従来の黒板消し同様、スポンジの表面をラシャ状の布で覆ってなるものである。回転駆動部１５２及び１５４は、図示しないモータ等の動力源により、ワイパ部材１５０を回転させる。ワイパ部材１５０の回転方向については、ワイパユニット１４０がレール部材１１０及び１２０上を移動する方向とワイパ部材１５０が黒板上を拭き取る方向とが一致するようにする。尚、回転駆動部は、上側又は下側のいずれか１つのみでもよい。粉落としブラシ１５６は、ワイパユニット１４０の両側端部からワイパ部材１５０に向かって延伸するブラシ毛からなり、その毛先がワイパ部材１５０に接触して、ワイパ部材１５０に付着したチョーク粉をはたき落とすことができるように配置されている。
【００２１】
図３は、図２に示すワイパユニット１４０の詳細構造を示す部分拡大図である。
図３に示すように、ワイパユニット１４０のワイパ部材１５０は、円筒状の回転体の周囲に、垂直方向に長さを有し、当該回転体から放射方向に突起する突起部を数列有してなる。各突起部は、所定間隔で切り欠き部（凹部）が形成されており、黒板消去時にチョーク粉が突起部と黒板の間に滞留しないようになっている。また、図示するように、各列の突起部はそれぞれ異なる位置に切り欠き部が形成されている。このような切り欠き部を有することにより、歪みのある黒板表面に対しても均一な加圧でチョーク粉の拭き取りを行うことができるので、均一な消去効果を得ることができる。
また、上記したように、ワイパユニット１４０の開口した両側端部には、ワイパ部材１５０の各突起部に付着したチョーク粉を掃い取るためのブラシ粉落としブラシ１５６が備えられている。
【００２２】
図４は、上記した本実施形態の黒板消去装置を黒板に適用する態様を例示する図である。
図４に示すように、本実施形態の黒板消去装置は、黒板を覆うようにして設置することができる。設置対象となる黒板の寸法形状に合わせて、黒板消去装置の縦横寸法（すなわちレール部材１１０及び１２０、固定部材１３０、ワイパユニット１４０の長さ寸法）、ワイパユニット１４０のワイパ部材１５０の寸法などを適宜設計することが可能である。
ここで、上記したように、ワイパユニット１４０の下部は、上部よりもワイパユニット１４０の下部は、上部よりも紙面手前側に位置するように構成されているので、ワイパユニット１４０が左右に移動する際に、粉受けや、粉受け上に置かれた黒板消しなど接触することはない。
尚、本実施形態の黒板消去装置を黒板に適用する形態は図４に示すものに限られるわけではない。黒板の形状、性質、利用形態などに応じて、黒板消去装置による消去作業が妨げられない範囲で、様々な適用形態が可能である。また、黒板消去装置を黒板と一体形成して自動消去機能付き黒板とすることもできる。
【００２３】
[２] 黒板消去装置の動作
以上説明した本実施形態の黒板消去装置による黒板消去の動作について説明する。
黒板消去装置の非動作時には、図４に示すように、ワイパユニット１４０が装置の右端に位置している（あるいは左端でもよい）。操作者が消去操作を行うと、ワイパユニット１４０が駆動されてレール部材１１０及び１２０上を右側に向かって移動するとともに、図２に示すワイパ部材１５０が回転駆動部１５２及び１５４によって回転駆動されて、ワイパ部材１５０の突起部先端が黒板表面を拭うようにして黒板の清掃が行われる。ワイパ部材１５０の先端により拭われたチョーク粉等は、一部はワイパ部材１５０の突起部先端に付着し、一部は下方に落下して、黒板の粉受けに収容される。
ワイパ部材１５０の突起部先端は黒板表面を拭った後、図２及び図３に示す粉落としブラシ１５６に接触し、これにより突起部先端に付着したチョーク粉等は払い落とされて、下方に落下し黒板の粉受けに収容される。このようにして、黒板表面を清掃して汚れたワイパ部材１５０の各突起部が粉落としブラシ１５６によって清浄化されるので、回転して再度黒板表面を清掃することができる。
【００２４】
尚、ワイパ部材１５０の各突起部及び粉落としブラシ１５６を定期的に清掃すれば、黒板の消去効果を保つことが可能である。例えば、ワイパユニット１４０においてワイパ部材１５０を着脱可能にしておけば、ワイパ部材１５０及び粉落としブラシ１５６の清掃が容易となる。
【００２５】
以上、本発明の黒板消去装置及び自動消去機能を備える黒板について、具体的な実施の形態を示して説明したが、本発明はこれらに限定されるものではない。当業者であれば、本発明の要旨を逸脱しない範囲内において、上記各実施形態における固定部材の構成及び機能に様々な変更・改良を加えることが可能である。
【００２６】
例えば、上記の実施形態では、垂直方向に延伸するワイパ部材を水平方向に移動させて黒板全体を清掃する黒板消去装置について説明したが、本発明の黒板消去装置はこれに限定されるものではなく、例えば、水平方向に延伸するワイパ部材を垂直方向に移動させて黒板全体を清掃する黒板消去装置とすることも可能である。
また、上記の実施形態では、一対のレール部材を有する黒板消去装置について説明したが、本発明の黒板消去装置はこれに限定されるものではなく、例えば、１つのレール部材のみを用いた黒板消去装置とすることも可能である。
また、上記の実施形態では、２つのレール部材を固定する固定部材を有する黒板消去装置について説明したが、本発明の黒板消去装置はこれに限定されるものではなく、例えば、固定部材を有さず、各レール部材が直接黒板（あるいはその周囲の壁面）に固定されるように構成した黒板消去装置とすることも可能である。
【図面の簡単な説明】
【００２７】
【図１】本発明の一実施形態に係る黒板消去装置の全体構成を概略的に示す図である。
【図２】図１に示す黒板消去装置を裏側から示した図である。
【図３】図２に示すワイパユニット１４０の詳細構造を示す部分拡大図である。
【図４】図１〜図３に示す実施形態における黒板消去装置を黒板に適用する態様を例示する図である。
【符号の説明】
【００２８】
１１０    レール部材
１２０    レール部材
１３０    固定部材
１４０    ワイパユニット
１４２    スライダ部材
１４４    スライダ部材
１５０    ワイパ部材
１５２    回転駆動部
１５４    回転駆動部
１５６    粉落としブラシ
【図１】
2009202343.tif 000003
【図２】
2009202343.tif 000004
【図３】
2009202343.tif 000005
【図４】
2009202343.tif 000006